(57)【要約】  ワイヤ閉込め構造（１０）が容器（１４）とバッグ（１２）とを含む。容器（１４）は容器受口（３０）を少なくとも部分的に定める側壁（２６）を含む。側壁（２６）は第１のハンドル孔（４０）と第２のハンドル孔（４２）とを定める。バッグ（１２）はワイヤ積重ね（３６）を完全に支持するよう構成される。バッグ（１２）は容器受口（３０）内に少なくとも部分的に配置され、本体（１８）と第１のハンドル（２０）と第２のハンドル（２２）とを含む。本体（１８）はワイヤ受口（２４）を含む。第１のハンドル（２０）は本体（１８）と結合され、第１のハンドル孔（４０）を通じて経路指定される。第２のハンドル（２２）は本体（１８）と結合され、第２のハンドル孔（４２）を通じて経路指定される。
2013544715.tif 000002
【特許請求の範囲】
【請求項１】
容器受口を少なくとも部分的に定める側壁を含む容器と、
前記容器受口内に少なくとも部分的に配置されるバッグとを含み、
前記側壁は、第１のハンドル孔と、第２のハンドル孔とを定め、
前記バッグは、ワイヤ積重ねを完全に支持するよう構成され、
前記バッグは、
ワイヤ受口を定める本体と、
該本体と結合され且つ前記第１のハンドル孔を通じて経路指定される第１のハンドルと、
前記本体と結合され且つ前記第２のハンドル孔を通じて経路指定される第２のハンドルとを含む、
ワイヤ閉込め構造。
【請求項２】
前記ワイヤ受口内に少なくとも部分的に配置される内側支持部材を更に含む、請求項１に記載のワイヤ閉込め構造。
【請求項３】
前記容器の前記側壁は、複数の壁窓を定め、前記バッグは、複数のバッグ窓を定め、前記壁窓の各々は、前記バッグ窓のそれぞれの１つと実質的に整列される、請求項１又は２に記載のワイヤ閉込め構造。
【請求項４】
前記壁窓は、孔を含み、前記バッグ窓は、実質的に透明である、請求項１乃至３のうちのいずれか１項に記載のワイヤ閉込め構造。
【請求項５】
前記バッグは、前記本体の下に延びる強化ストラップを更に含み、該強化ストラップ、前記第１のハンドル、前記第２のハンドル、及び前記本体は、一体形の構造として設けられる、請求項１乃至４のうちのいずれか１項に記載のワイヤ閉込め構造。
【請求項６】
前記バッグは、織物ポリプロピレンを含む、請求項１乃至５のうちのいずれか１項に記載のワイヤ閉込め構造。
【請求項７】
前記バッグは、約０．０１インチ〜０．０３インチ、好ましくは、約０．０１５インチ〜約０．０２０インチの範囲の厚みを有する、請求項１乃至６のうちのいずれか１項に記載の、好ましくは、請求項６に記載のワイヤ閉込め構造。
【請求項８】
容器受口を定める側壁を含む容器と、
前記容器受口内に少なくとも部分的に配置されるバッグとを含み、
前記側壁は、第１のハンドル孔と、第２のハンドル孔とを定め、
前記バッグは、
ワイヤ受口を定める本体と、
該本体と結合され且つ前記第１のハンドル孔を通じて経路指定される第１のハンドルと、
前記本体と結合され且つ前記第２のハンドル孔を通じて経路指定される第２のハンドルと、
前記本体と結合され且つ前記本体の下に経路指定される強化ストラップと、
前記バッグの前記ワイヤ受口内に配置されるワイヤ積重ねとを含み、
前記本体、前記第１のハンドル、前記第２のハンドル、及び前記強化ストラップは、織物材料を含み、
前記強化ストラップは、前記本体と一体に織られ、前記バッグは、前記ワイヤ積重ねを完全に支持するよう構成される、
装置。
【請求項９】
前記ワイヤ受口内に配置され且つ前記ワイヤ積重ねと前記バッグとの間に介装される内側支持部材を更に含む、請求項８に記載の装置。
【請求項１０】
前記容器の前記側壁は、複数の壁窓を定め、前記バッグは、複数のバッグ窓を定め、前記壁窓の各々は、前記バッグ窓のそれぞれ１つと実質的に整列させられ、前記バッグ窓は及び前記壁窓は、好ましくは、透明である、請求項８又は９に記載の装置。
【請求項１１】
前記バッグは、織物ポリプロピレンバッグを含み、前記容器は、厚紙容器を含む、請求項８乃至１０のうちのいずれか１項に記載の装置。
【請求項１２】
前記バッグの前記本体は、下方部分と、上方部分とを含み、該上方部分は、前記容器を越えて延びる、請求項８乃至１１のうちのいずれか１項に記載の装置。
【請求項１３】
前記本体、前記第１のハンドル、前記第２のハンドル、及び前記強化ストラップは、一体形の構造において提供される、請求項１乃至１２のうちのいずれか１項に記載の、好ましくは、請求項１２に記載の装置。
【請求項１４】
容器受口を少なくとも部分的に定める側壁を含む容器と、
ワイヤ積重ねを完全に支持するよう構成されるバッグとを含み、
前記側壁は、第１のハンドル孔と、第２のハンドル孔とを定め、
前記バッグは、
本体と、
前記第１のハンドル孔を通じて延びる第１のハンドルと、
前記第２のハンドル孔を通じて延びる第２のハンドルと、
前記本体を強化するための手段とを含み、
前記本体を強化するための手段は、前記本体及び前記本体を強化するための手段が一体形の構造において提供されるよう、前記本体に結合され、
前記バッグは、前記容器受口内に少なくとも部分的に配置される、
ワイヤ閉込め構造。
【請求項１５】
前記第１のハンドルは、第１のループ付き端部を含み、前記第２のハンドルは、第２のループ付き端部を含み、前記第１のループ付き端部及び前記第２のループ付き端部は、前記容器受口の外側に配置される、請求項１乃至１４のうちのいずれかに記載の、好ましくは、請求項８又は１４に記載のワイヤ閉込め構造。
【発明の詳細な説明】
【技術分野】
【０００１】
ワイヤ閉込め構造は、容器と、バッグとを含む。バッグは、容器内に配置され、ワイヤ閉込め構造の持上げを容易化するハンドルを含む。
【背景技術】
【０００２】
ワイヤの積重ねをワイヤ閉込み構造内に設け得る。ワイヤ閉込め構造は、ワイヤ閉込め構造と一緒のワイヤ積重ねの持上げ及び／又は輸送を促進するハンドルを含む。１つの従来的な構成において、ワイヤ閉込め構造は、厚紙ボックスのような、剛性の外側容器を含む。ポリウレタンバッグが剛性の外側容器内に設けられ、ワイヤ積重ねがバッグ内に設けられる。バッグはワイヤ積重ねの上で閉じられ、湿分がワイヤ積重ねに影響を与えるのを抑制する。持上げストラップが剛性の外側容器とバッグとの間に介装されるよう、持上げストラップがバッグの下に経路指定される。この構成において、持上げストラップは、バッグと一体に形成されず、むしろ別個の構成部品として提供される。ハンドルを用いたワイヤ閉込め構造及びワイヤ積重ねの持上げを容易化するために、持上げストラップは、剛性の外側容器の対向する側壁を通じて経路指定される２つのハンドルを含む。
【発明の概要】
【発明が解決しようとする課題】
【０００３】
しかしながら、持上げストラップはバッグと別個であるので、バッグはストラップとの擦過の故に劣化しがちである。加えて、バッグと別個の持上げストラップの使用は、ワイヤ閉込め構造が特定の安全及び／又は輸送規格に準拠することを要求し、それを実施するのは時間がかかり、費用も嵩み得る。
【課題を解決するための手段】
【０００４】
一般的な閉込め構造の耐久性を改良するために、請求項１及び１４に従ったワイヤ閉込め構造と、請求項８に従った容器を備える装置とを開示する。好適な解決策は従属項から得ることができる。１つの実施態様によれば、ワイヤ閉込め構造は、容器と、バッグとを含む。容器は、側壁を含み、側壁は、容器受口を少なくとも部分的に定める。側壁は、第１のハンドル孔と、第２のハンドル孔とを定める。バッグは、ワイヤ積重ねを全体的に支持するよう構成される。バッグは、容器受口内に少なくとも部分的に配置され、本体と、第１のハンドルと、第２のハンドルとを含む。本体は、ワイヤ受口を定める。第１のハンドルは、本体と結合され、第１のハンドル孔を通じて経路指定される。第２のハンドルは、本体に結合され、第２のハンドル孔を通じて経路指定される。本体、第１のハンドル、及び第２のハンドルを、一体形の構造において提供し得る。
【０００５】
本明細書は本発明を特別に指摘し且つ明確に請求する請求項で終わるが、本発明は付属の図面と共に以下の記載からより良く理解されると考えられる。
【図面の簡単な説明】
【０００６】
【図１】１つの実施態様に従った容器とバッグと内側支持部材と蓋とを含むワイヤ閉込め構造と関連するワイヤ積重ねを示す斜視分解図である。
【図２】図１のワイヤ閉込め構造を示す組立図であり、ワイヤ積重ねはバッグ内に配置されている。
【図３】１つの実施態様に従った図１のワイヤ閉込め構造のバッグを示す斜視図である。
【図４】他の実施態様に従った図１のワイヤ閉込め構造のバッグを示す斜視図である。
【発明を実施するための形態】
【０００７】
図１乃至４の図面に関連して実施態様を詳細に記載する。図面において、同等の番号は、図面を通じて、同一又は対応する素子を示している。図１に例示するように、ワイヤ閉込め構造１０は、バッグ１２と、容器１４とを含み得る。バッグ１２は、本体１８と、本体１８と結合される第１及び第２のハンドル２０，２２とを含み得る。バッグ１２の本体１８は、ワイヤ受口２４を定め得る。容器１４は、側壁２６と、床部分２８とを含み得る。側壁２６及び床部分２８は協働し、容器受口３０を定め得る。図２に例示するように、バッグ１２の本体１８が容器１４と並ぶよう、バッグ１２を容器受口３０内に配置し得る。バッグ１２の本体１８は、上方部分３２と、下方部分３４とを含み得る。図２に例示するように、本体１８の上方部分３２は、容器１４を越えて延び、本体１８の上方部分３２を容器１４の頂部に折り重なり得る。
【０００８】
図２に例示するように、バッグ１２の本体１８が床部分２８とワイヤ積重ね３６との間に介装された状態で、ワイヤ積重ね３６が容器１４の床部分２８の上に位置するよう、ワイヤ積重ね３６をワイヤ閉込め構造１０内（例えば、バッグ１２の受口２４内に）に設け得る。ワイヤ積重ね３６は、ワイヤの巻回された積重ねであるよう示されているが、ワイヤ積重ね３６は、例えば、ワイヤスプール又はワイヤ束のような、任意の様々な他のワイヤ積重ねであり得る。バッグ１２の上方部分３２を容器１４の頂部に折り重ねることによって、ワイヤ閉込め構造１０内へのワイヤ積重ね３６の装填中、容器１４によってバッグ１２を支え得る。バッグ１２及び容器１４の上に蓋３７を設け得る。厚紙又はプラスチックのような実質的に剛性の材料で容器１４及び蓋３７を形成し得る。容器１４及び蓋３７は、正方形であるように示されているが、任意の様々な適切な代替的な構成において容器１４及び蓋３７を提供し得る。従って、ワイヤ積重ね３６がワイヤ閉込め構造１０内に設けられるとき、容器１４は、（例えば、ワイヤ閉込め構造１０の輸送中）、さもなければワイヤ積重ね３６と接触してワイヤ積重ね３６を傷付け得る破片及び他の材料から、ワイヤ積重ね３６を保護し得る。１つの実施態様において、容器１４は、多数のワイヤ閉込め構造が互いに上下に積み重なるのを容易化するのに十分な程に剛的である。
【０００９】
図２に例示するような１つの実施態様では、バッグ１２、容器１４、及び蓋３７が協働し、湿分がワイヤ受口２４に進入してワイヤ積重ね３６に影響を及ぼすのを防止するために、バッグ１２の上方部分３２を容器１４と蓋３７との間に介装し得る。しかしながら、他の実施態様では、湿分がワイヤ積重ね３６に影響を及ぼすのをより効果的に防止するために、容器１４を蓋３７で覆う前に、バッグ１２の上方部分３２を共に蓄積させ、（金属クリップで）封止し得る。
【００１０】
図１に例示するような１つの実施態様において、ワイヤ閉込め構造１０は、内側支持部材３９を含み得る。ワイヤ積重ね３６がワイヤ閉込め構造１０内に設けられるときには、内側支持部材３９がワイヤ積重ね３６とバッグ１２との間に介装されるよう、内側支持部材３９をワイヤ積重ね３６の周りに設け得る。内側支持部材３９は、ワイヤ積重ね３６を取り囲み、従って、ワイヤ積重ね３６が解れるのを防止し得る。ワイヤ閉込め構造１０の輸送中にワイヤ積重ね３６が移動し且つ／或いは倒れるのを防止するために、内側支持部材３９は、ワイヤ積重ね３６の周囲に沿う支持ももたらし得る。１つの実施態様において、内側支持部材３９は、蓋３７のための追加的な下に横たわる支持をもたらすために（例えば、ワイヤ閉込め構造１０が互いに上下に積み重ねられるときにより効果的な支持を容易化するために）、容器１４の床部材２８と蓋３７との間に延在し得る。内側支持部材３９は、厚紙、熱可塑性物質、又は、任意の様々な適切な代替的な材料から形成される、剛性の管状部材を含み得る。内側支持部材３９は、八角形であるように示されているが、内側支持部材は、例えば、長方形又は円形のような、任意の様々な適切な代替的な形状を含み得る。
【００１１】
図１に例示するように、容器１４の側壁２６は、複数の壁窓５０を定め、バッグ１２は、複数のバッグ窓５２を定め、内側支持部材３９は、複数の支持窓５４を定め得る。バッグ１２及び内側支持部材３９が容器１４内に配置されるとき、各々の壁窓５０は、それぞれ１つのバッグ窓５２及び支持窓５４と実質的に整列させられ、ワイヤ閉込め構造１０を通じる複数の目視窓５６を形成するよう協働し得る。従って、目視窓５６を通じてワイヤ積重ね３６を見ることができる。１つの実施態様において、壁窓５０及び支持窓５４は、孔を含み得る。バッグ窓５２によってバッグ１２の完全性が実質的に影響されないよう、バッグ１２の本体１８の残部と一体に形成し得る実質的に透明な層状構造によってバッグ窓５２を定め得る。容器１４の内側を見るために蓋を取り外すことを必要とせずにワイヤ積重ね３６の高さを決定し得るよう、目視窓５６を異なる高さに配置し得ることが理解されよう。４つの目視窓５６が図１及び２に示されているが、任意の様々な適切な代替的な場所でワイヤ積重ね３６のための任意の数の目視窓を形成するよう、バッグ、内側支持部材、容器が協働し得ることも理解されよう。
【００１２】
容器１４の側壁２６は、第１のハンドル孔４０と、第２のハンドル孔４２とを定め得る。図２に例示するように、ワイヤ閉込め構造１０の頂部持上げを容易化するために、それぞれの第１及び第２のハンドル孔４０，４２を通じて、バッグ１２の第１及び第２のハンドル２０，２２を経路指定し得る。１つの実施態様において、バッグ１２の第１及び第２のハンドル２０，２２は、それぞれの第１及び第２のループ付き端部４４，４６を含み、これらのループ付き端部４４，４６は、フォークリフト（図示せず）、クレーン（図示せず）、又は他の適切な代替的な持上げ装置によるワイヤ閉込め構造１０の持上げ及び輸送を容易化し得る。例えば、フォークリフトのフォークを第１及び第２のループ付き端部４４，４６内に設け、フォークを持ち上げることによって、ワイヤ閉込め構造１０を持ち上げ得る。ループ付き端部４４，４６がフォークリフトのフォークを受け入れる準備ができるよう、ワイヤ閉込め構造１０の持上げ前に、第１及び第２のループ付き端部４４，４６を容器１４の外側に沿って設け得る。多数のワイヤ閉込め構造１０が（例えば格納施設に）設けられるときには、第１及び第２のループ付き端部４４，４６の場所と一致するよう、フォークの幅を設定し得る。操作者は、フォークを再調節するためにフォークリフトから降ろさずに、各々のワイヤ閉込め構造（例えば、１０）を持ち上げ且つ移動させることができ、それによって、時間を節約し且つ操作者への危険を低減させる。第１及び第２のハンドル２０，２２は、それぞれの第１及び第２のハンドル孔内に少なくとも部分的に延び得る任意の多様な適切な代替的な構成を含み得る。
【００１３】
第１及び第２のハンドル２０，２２を用いたワイヤ閉込め構造１０の持上げは、ワイヤ積重ね３６の重量が少なくとも部分的にバッグ１２によって支えられることを可能にする。例えば、ワイヤ閉込め構造１０が第１及び第２のハンドル２０，２２で持ち上げられるとき、バッグ１２がワイヤ積重ね３６の実質的な下に横たわる支持をもたらすよう、第１及び第２のハンドル２０，２２は、バッグ１２の本体１８をワイヤ積重ね３６に対して上向きに引っ張る。従って、第１及び第２のハンドル２０，２２を用いたワイヤ積重ね３６の持上げ中、（例えば、引き裂かずに、引き割らずに、破壊せずに）ワイヤ積重ね３６を支持するよう、バッグ１２を構成し得る。１つの実施態様では、例えば、荷重のために必要な許容し得る工業規格に準拠する厚みを有する織物ポリプロピレンシートのような、ワイヤ積重ね３６の全重量を支持し得る材料で、バッグ１２を形成し得る。１つの実施態様において、厚みは、約０．０１インチ〜約０．０３インチに及び、より具体的には、約０．０１５インチ〜約０．０２０インチに及び得る。
【００１４】
１つの実施態様では、本体１８、第１のハンドル２０、及び第２のハンドル２２を一体形の構造において提供し得る。例えば、対向する縁部を有するパターンに切断され或いは他の方法で形成される連続的なシートの材料からバッグ１２を形成し得る。連続的なシートの材料の縁部を縫い付け、熱溶接し、或いは他の方法で一体に取り付けて、バッグ１２の本体１８を形成し得る。切断、加熱等を通じるのでなければ、第１及び第２のハンドル２０，２２が本体１８から離れないよう、第１のハンドル２０及び第２のハンドル２２をバッグ１２の本体１８と結合させ得る。１つの実施態様では、縫付け又は熱溶接を通じて第１及び第２のハンドル２０，２２を本体１８に取り付け得る。他の実施態様では、例えば、製造中に、例えば、第１及び第２のハンドル２０，２２をバッグ１２の本体１８と織り合わせることによって、第１及び第２のハンドル２０，２２を、バッグ１２の本体１８を形成する材料と一体的に織り得る。しかしながら、本体、第１のハンドル、及び第２のハンドルが共に結合され或いは一体形の構造として提供されるのを容易化する任意の様々な適切な代替的な材料を使用し且つ任意の様々な他の適切な構成を有するバッグ１２を形成し得ることが理解されよう。
【００１５】
図４に例示するような代替的な実施態様において、バッグ１１２は、強化ストラップ１４１も含み得る。バッグ１１２は、多くの点において、図１乃至３に例示するバッグ１２と類似し得る。例えば、バッグ１１２は、本体１１８と、第１のハンドル１２０と、第２のハンドル１２２とを含み得る。強化ストラップ１４１は、バッグ１１２のための追加的な持上げ支持をもたらすよう、バッグ１１２の本体１１８の下に延び得る。本体１１８、第１のハンドル１２０、第２のハンドル１２２、及び強化ストラップ１４１を、一体形の構造として共に一体的に形成し得る。例えば、バッグ１２に関して上述したような単一シートの材料でバッグ１１２を形成し得る。しかしながら、強化ストラップ１４１を、バッグ１１２の本体１１８と一体的なより厚い材料として形成し、バッグ１１２の本体１１８に沿って第１のハンドル１２０と第２のハンドル１２２との間に経路指定し得る。１つの実施態様において、強化ストラップ１４１をバッグ１１２の本体１１８と共に一体的に織り得る。ワイヤ積重ね（例えば、３６）がバッグ１１２内に設けられるとき、強化ストラップ１４１は、ワイヤ積重ねの下に位置する。バッグ１１２が第１及び第２のハンドル１２０，１２２で持ち上げられるとき、強化ストラップ１４１によってワイヤ積重ねの重量を実質的に支え得る。バッグ１１２の本体１１８は、図１及び２に示す本体１８と同じ程度の支持をもたらす必要はなく、従って、バッグ１１２の本体１１８をより薄い材料で形成することができ、それによって、バッグ１１２の費用及び製造時間を改良し得る。図４のバッグ１１２は八角形であるように示されているが、強化ストラップ１４１を有するバッグを、（例えば、バッグ１２に類似する）長方形のような任意の様々な構造に成形し得る。
【００１６】
ワイヤ閉込め構造は一部の従来的なフレキシブルコンテナ（ＦＩＢＣ）構成よりも効果的なワイヤ積重ねの輸送を促進し得ることが理解されよう。例えば、従来的なＦＩＢＣは、可撓な本体の上方開口の周りに均等に離間させられる４つのループ式ハンドルを有する可撓な本体を含み得る。典型的には、従来的なＦＩＢＣを、例えば、砂、肥料、又はペレット化プラスチックのような粒状化材料で充填し、次に、（例えば、フォークリフトによって）ループ式ハンドルで持ち上げ得る。しかしながら、従来的なＦＩＢＣは、ワイヤ積重ねの輸送には非効果的である。何故ならば、可撓な本体は、ワイヤ積重ねのための十分な保護をもたらさないからである。ワイヤ積重ねを保護するために剛性の容器で従来的なＦＩＢＣを強化することは困難であり、従来的なＦＩＢＣの完全性を危険に晒しさえし得る。例えば、剛性の容器内に緩く設けられる従来的なＦＩＢＣは、剛性の容器内に落ち込みがちであり、それによって、従来的なＦＩＢＣの持上げ前に、従来的なＦＩＢＣを剛性の容器から取り出すことが必要である。加えて、従来的なＦＩＢＣ内へのワイヤ積重ねの装填前に、従来的なＦＩＢＣが剛性の容器内で適切に整列されないならば、ループ形状ハンドルを剛性の構造に対して適切に整列させ得ず、ループ形状ハンドルは剛性の構造内に落ち込みさえし得る。接近するフォークリフトは、ハンドルを先ず取り出すことを必要とせずに、剛性の構造との有害な接触を伴わずに、ループ形状ハンドルを通じてフォークを滑動させるのに困難を有し得る。従って、従来的なＦＩＢＣが剛性の構造から離れるようになるのを防止するために、例えば、解放可能な締結具又は接着剤を用いて、剛性の容器を従来的なＦＩＢＣと結合させ得る。しかしながら、このように従来的なＦＩＢＣを剛性の構造に取り付けることは、高価であり且つ時間がかかり得る。加えて、従来的なＦＩＢＣがループ形状ハンドルで持ち上げられるとき、剛性の容器はＦＩＢＣを引っ張り且つ／或いは圧迫し得るが、それは従来的なＦＩＢＣの完全性に影響を及ぼし得る。
【００１７】
従って、ワイヤ閉込め構造１０は、従来的なＦＩＢＣを剛性の容器と単に組み合わせるよりも効果的なワイヤ積重ねの持上げ及び／又は格納を促進し得る。例えば、第１及び第２のハンドル孔４０，４２を通じて第１及び第２のハンドル２０，２２を経路指定することで、容器１４は、バッグ１２の完全性に影響を及ぼすことなく、バッグ１２を容器１４に固定し得る。ワイヤ閉込め構造１０が第１及び第２のハンドル２０，２２で持ち上げられるとき、第１及び第２のハンドル２０，２２は、バッグ１２に対して容器１４を保持し、容器１４がバッグ１２から偶発的に離されることを防止し得る。ワイヤ積重ね３６の重量を完全に支持するようバッグ１２を構成し得る。何故ならば、容器１４は、ワイヤ閉込め構造１０の持上げ中、ワイヤ積重ね３６に対する如何なる下に横たわる支持をももたらし得ないからである。加えて、第１及び第２のハンドル孔４０，４２を通じて第１及び第２のハンドル２０，２２を経路指定することは、バッグ１２が容器１４内に適切に位置付けられることを保証し得る。更に、上述のように、ハンドル２０，２２がフォークリフトのフォークを受け入れる準備が出来るよう、容器１４の外側に沿う一貫した場所にハンドル２０，２２を設け得る。
【００１８】
一部の従来的なワイヤ閉込め構成では、ワイヤ積重ねを持ち上げるためにバッグは使用されず、むしろ湿分障壁として働くに過ぎない。上述のように、そのような構成では、持上げストラップがバッグの下に経路指定されて、ワイヤ積重ねの持上げを容易化する。持上げストラップをバッグ１２と容器１４との間に経路指定する代わりに、ワイヤ積重ね３６を持上げ且つ支持するためにバッグ１２を使用することができ、それはワイヤ閉込め構造の総費用を削減し得ることが理解されよう。加えて、バッグ１２は、さもなければ持上げストラップでワイヤ積重ねを持ち上げることから起こり得る擦過の影響をより少なく受け得る。更に、バッグ１２が容器１４内に提供され、第１及び第２のハンドル２０，２２が第１及び第２のハンドル孔４０，４２を通じて経路指定されるや否や、バッグ１２を適切に向けるために、第１及び第２のハンドル２０，２２を引っ張り得る。
【００１９】
典型的には、ワイヤ積重ねの重量が持上げストラップに亘って適切に分配されるのを保証するために、ワイヤ積重ねが従来的なワイヤ閉込め構造内に設けられる前に、持上げストラップはバッグの下で整列されなければならない。ワイヤ積重ねが持上げストラップで持ち上げられるや否や、持上げストラップは、依然としてワイヤ積重ねの下の位置から外れるよう移動しがちであり、それによって、輸送中にワイヤ積重ねがひっくり返り得る危険性を増大する。持上げストラップをウェブ状ストラップとして形成し得るが、ウェブ状ストラップは、ワイヤ積重ねの運搬を容易化し得る十分な厚みを有し、よって、嵩張り且つ高価であり得る。
【００２０】
従って、バッグ１２は、より時間効果的で費用効果的な方法において持上げストラップよりも効果的にワイヤ積重ねを支持し得る。ワイヤ積重ね３６がワイヤ閉込め構造１０内に設けられるや否や、バッグ１２の本体１８は、ワイヤ閉込め構造１０の持上げ中、ワイヤ積重ね３６に対するより効果的な支持をもたらすよう、ワイヤ積重ね３６を取り囲み得る。更に、ワイヤ閉込め構造１０の輸送中にワイヤ積重ね３６が移動するとしても、バッグ１２の本体１８はワイヤ積重ね３６の下に留まり、ワイヤ積重ね３６が容器１４内で不均衡になってひっくり返るのを防止する。従来的な持上げストラップの使用を排除することによって、ワイヤ閉込め構造１０が実施に時間がかかり且つ費用が嵩み得る特定の安全及び／又は輸送規格に準拠することは最早必要とされ得ない。むしろ、ワイヤ閉込め構造は、波形オーバーパック(overpack)を備えるＦＩＢＣと考えられ得る。よって、持上げストラップを備える容器のために確保される安全及び輸送規格に準拠することは必要とされ得ない。
【００２１】
バッグ１２は、２つのハンドルのみを含むように示されているが、バッグ１２は、容器の対応するハンドル孔を通じて経路指定し得る２つ又はそれよりも多くのハンドルを含み得ることが理解されよう。２つのハンドルで物体を持ち上げることによって時折起こる転倒の危険性を低減させるために、ハンドルをバッグ１２の上に設け得ることも理解されよう。例えば、図１に例示するように、第１及び第２のハンドル２０，２２を互いに正反対にバッグ１２の上方部分３２と結合し得る。ワイヤ積重ね３６がバッグ１２のワイヤ受口２４内に設けられるときには、「頂部持上げ」(“top  lifting”)を促進するよう、第１及び第２のハンドル２０，２２をワイヤ積重ね３６の上でワイヤ積重ね３６の各側に配置し得る。ワイヤ積重ね３６の重心は、第１及び第２のハンドル２０，２２の垂直に下にあり得る。よって、第１及び第２のハンドル２０，２２を用いたワイヤ閉込め構造１０の頂部持上げの転倒は、一部の従来的な構成よりも少ない。
【００２２】
ワイヤ閉込め構造の様々な実施態様を前述の記載によって例示し、図１乃至４に関して詳細に記載したが、それらが網羅的であることは意図されておらず、本発明の範囲をそのような詳細に限定することは意図されていない。上記教示の観点から数多くの変形が可能である。それらの変形の一部は議論されており、当業者によって理解されるであろう。
【符号の説明】
【００２３】
１０    ワイヤ閉込め構造  (wire  containment  structure)
１２    バッグ  (bag)
１４    容器  (container)
１８    本体  (body)
２０    ハンドル  (handle)
２２    ハンドル  (handle)
２４    ワイヤ受口  (wire  receptacle)
２６    側壁  (side  wall)
２８    床部分  (floor  portion)
３０    容器受口  (container  receptacle)
３２    上方部分  (upper  portion)
３４    下方部分  (lower  portion)
３６    ワイヤ積重ね  (wire  stack)
３７    蓋  (lid)
３９    内側支持部材  (inner  support  member)
４０    ハンドル孔  (handle  aperture)
４２    ハンドル孔  (handle  aperture)
４４    ループ付き端部  (looped  end)
４６    ループ付き端部  (looped  end)
５０    壁窓  (wall  window)
５２    バッグ窓  (bag  window)
５４    支持窓  (support  window)
５６    目視窓  (viewing  window)
１１２  バッグ  (bag)
１１８  本体  (body)
１２０  ハンドル  (handle)
１２２  ハンドル  (handle)
１４１  強化ストラップ  (reinforcement  strap)
【図１】
2013544715.tif 000003
【図２】
2013544715.tif 000004
【図３】
2013544715.tif 000005
【図４】
2013544715.tif 000006
【手続補正書】
【提出日】平成24年7月30日(2012.7.30)
【手続補正１】
【補正対象書類名】明細書
【補正対象項目名】全文
【補正方法】変更
【補正の内容】
【書類名】明細書
【発明の名称】容器とバッグとを含むワイヤ閉込め構造
【技術分野】
【０００１】
ワイヤ閉込め構造は、容器と、バッグとを含む。バッグは、容器内に配置され、ワイヤ閉込め構造の持上げを容易化するハンドルを含む。
【背景技術】
【０００２】
ワイヤの積重ねをワイヤ閉込み構造内に設け得る。ワイヤ閉込め構造は、ワイヤ閉込め構造と一緒のワイヤ積重ねの持上げ及び／又は輸送を促進するハンドルを含む。１つの従来的な構成において、ワイヤ閉込め構造は、厚紙ボックスのような、剛性の外側容器を含む。ポリウレタンバッグが剛性の外側容器内に設けられ、ワイヤ積重ねがバッグ内に設けられる。バッグはワイヤ積重ねの上で閉じられ、湿分がワイヤ積重ねに影響を与えるのを抑制する。持上げストラップが剛性の外側容器とバッグとの間に介装されるよう、持上げストラップがバッグの下に経路指定される。この構成において、持上げストラップは、バッグと一体に形成されず、むしろ別個の構成部品として提供される。ハンドルを用いたワイヤ閉込め構造及びワイヤ積重ねの持上げを容易化するために、持上げストラップは、剛性の外側容器の対向する側壁を通じて経路指定される２つのハンドルを含む。しかしながら、持上げストラップはバッグと別個であるので、バッグはストラップとの擦過の故に劣化しがちである。加えて、バッグと別個の持上げストラップの使用は、ワイヤ閉込め構造が特定の安全及び／又は輸送規格に準拠することを要求し、それを実施するのは時間がかかり、費用も嵩み得る。
【０００３】
特許文献１は、溶接ワイヤ容器に言及しており、そこでは、溶接ワイヤは、コイル状態において落下される。ワイヤ容器は、外側容器及び内側容器、並びに、両方の容器の間のバッグを含む。５０ミクロン以上の厚みを備えるポリエチレン又はポリ塩化ビニルで作製されるのが典型的であるバッグは、溶接ワイヤ上の湿分を避けるよう、樹脂膜を含む。ベルトを用いて溶接ワイヤの重量を支え得る。それによって、例えば、フォークリフトを用いて、容器を容易に輸送し得る。ベルトの両端で形成されるループ状のハンドルが、ワイヤ容器の上方端部で外側容器から出る。ベルト自体は、外側容器とバッグとの間に配置される。バッグ及びベルトは、互いに別個である。
【０００４】
特許文献２は、溶接ワイヤのためのドラムを示している。ドラムは、内側容器と外側容器とを含み、両方の容器の間にバッグを備える。バッグは、溶接ワイヤ上の湿分を避けるよう、ビニルで作製されるのが典型的である。重量支持ベルトが、バッグと外側容器との間に位置付けられる。ベルトは、容器の上方端部で外側容器から出るのに対し、ベルトの両端部は、ループ状のハンドルに形成される。ベルト及びバッグは、互いに別個である。
【０００５】
特許文献３は、大量のワイヤを収容し且つ計量分配するための厚紙ボックスを教示している。ボックスは、パレットと、外側容器と、湿分防止バッグと、内側容器とを含む。バッグは、外側容器と内側容器との間に位置付けられ、ボックスの底部にパレットを備える。このボックスは、パレットと係合することによって、フォークリフトによって輸送されることが意図されている。ハンドル及び／又はベルトは、意図されていない。
【先行技術文献】
【特許文献】
【特許文献１】米国特許出願公開第２００３／００１９７７６Ａ１号
【特許文献２】欧州特許出願公開第１９３２６１３Ａ１号
【特許文献３】米国特許出願公開第２００５／０１４５４０７Ａ１号
【発明の概要】
【発明が解決しようとする課題】
【０００６】
本発明の目的は、従来技術の問題を解決することである。
【課題を解決するための手段】
【０００７】
一般的な閉込め構造の耐久性を改良するために、請求項１及び１４に従ったワイヤ閉込め構造と、請求項８に従った容器を備える装置とを開示する。好適な解決策は従属項から得ることができる。１つの実施態様によれば、ワイヤ閉込め構造は、容器と、バッグとを含む。容器は、側壁を含み、側壁は、容器受口を少なくとも部分的に定める。側壁は、第１のハンドル孔と、第２のハンドル孔とを定める。バッグは、ワイヤ積重ねを全体的に支持するよう構成される。バッグは、容器受口内に少なくとも部分的に配置され、本体と、第１のハンドルと、第２のハンドルとを含む。本体は、ワイヤ受口を定める。第１のハンドルは、本体と結合され、第１のハンドル孔を通じて経路指定される。第２のハンドルは、本体に結合され、第２のハンドル孔を通じて経路指定される。本体、第１のハンドル、及び第２のハンドルを、一体形の構造において提供し得る。
【０００８】
本明細書は本発明を特別に指摘し且つ明確に請求する請求項で終わるが、本発明は付属の図面と共に以下の記載からより良く理解されると考えられる。
【図面の簡単な説明】
【０００９】
【図１】１つの実施態様に従った容器とバッグと内側支持部材と蓋とを含むワイヤ閉込め構造と関連するワイヤ積重ねを示す斜視分解図である。
【図２】図１のワイヤ閉込め構造を示す組立図であり、ワイヤ積重ねはバッグ内に配置されている。
【図３】１つの実施態様に従った図１のワイヤ閉込め構造のバッグを示す斜視図である。
【図４】他の実施態様に従った図１のワイヤ閉込め構造のバッグを示す斜視図である。
【発明を実施するための形態】
【００１０】
図１乃至４の図面に関連して実施態様を詳細に記載する。図面において、同等の番号は、図面を通じて、同一又は対応する素子を示している。図１に例示するように、ワイヤ閉込め構造１０は、バッグ１２と、容器１４とを含み得る。バッグ１２は、本体１８と、本体１８と結合される第１及び第２のハンドル２０，２２とを含み得る。バッグ１２の本体１８は、ワイヤ受口２４を定め得る。容器１４は、側壁２６と、床部分２８とを含み得る。側壁２６及び床部分２８は協働し、容器受口３０を定め得る。図２に例示するように、バッグ１２の本体１８が容器１４と並ぶよう、バッグ１２を容器受口３０内に配置し得る。バッグ１２の本体１８は、上方部分３２と、下方部分３４とを含み得る。図２に例示するように、本体１８の上方部分３２は、容器１４を越えて延び、本体１８の上方部分３２を容器１４の頂部に折り重なり得る。
【００１１】
図２に例示するように、バッグ１２の本体１８が床部分２８とワイヤ積重ね３６との間に介装された状態で、ワイヤ積重ね３６が容器１４の床部分２８の上に位置するよう、ワイヤ積重ね３６をワイヤ閉込め構造１０内（例えば、バッグ１２の受口２４内に）に設け得る。ワイヤ積重ね３６は、ワイヤの巻回された積重ねであるよう示されているが、ワイヤ積重ね３６は、例えば、ワイヤスプール又はワイヤ束のような、任意の様々な他のワイヤ積重ねであり得る。バッグ１２の上方部分３２を容器１４の頂部に折り重ねることによって、ワイヤ閉込め構造１０内へのワイヤ積重ね３６の装填中、容器１４によってバッグ１２を支え得る。バッグ１２及び容器１４の上に蓋３７を設け得る。厚紙又はプラスチックのような実質的に剛性の材料で容器１４及び蓋３７を形成し得る。容器１４及び蓋３７は、正方形であるように示されているが、任意の様々な適切な代替的な構成において容器１４及び蓋３７を提供し得る。従って、ワイヤ積重ね３６がワイヤ閉込め構造１０内に設けられるとき、容器１４は、（例えば、ワイヤ閉込め構造１０の輸送中）、さもなければワイヤ積重ね３６と接触してワイヤ積重ね３６を傷付け得る破片及び他の材料から、ワイヤ積重ね３６を保護し得る。１つの実施態様において、容器１４は、多数のワイヤ閉込め構造が互いに上下に積み重なるのを容易化するのに十分な程に剛的である。
【００１２】
図２に例示するような１つの実施態様では、バッグ１２、容器１４、及び蓋３７が協働し、湿分がワイヤ受口２４に進入してワイヤ積重ね３６に影響を及ぼすのを防止するために、バッグ１２の上方部分３２を容器１４と蓋３７との間に介装し得る。しかしながら、他の実施態様では、湿分がワイヤ積重ね３６に影響を及ぼすのをより効果的に防止するために、容器１４を蓋３７で覆う前に、バッグ１２の上方部分３２を共に蓄積させ、（金属クリップで）封止し得る。
【００１３】
図１に例示するような１つの実施態様において、ワイヤ閉込め構造１０は、内側支持部材３９を含み得る。ワイヤ積重ね３６がワイヤ閉込め構造１０内に設けられるときには、内側支持部材３９がワイヤ積重ね３６とバッグ１２との間に介装されるよう、内側支持部材３９をワイヤ積重ね３６の周りに設け得る。内側支持部材３９は、ワイヤ積重ね３６を取り囲み、従って、ワイヤ積重ね３６が解れるのを防止し得る。ワイヤ閉込め構造１０の輸送中にワイヤ積重ね３６が移動し且つ／或いは倒れるのを防止するために、内側支持部材３９は、ワイヤ積重ね３６の周囲に沿う支持ももたらし得る。１つの実施態様において、内側支持部材３９は、蓋３７のための追加的な下に横たわる支持をもたらすために（例えば、ワイヤ閉込め構造１０が互いに上下に積み重ねられるときにより効果的な支持を容易化するために）、容器１４の床部材２８と蓋３７との間に延在し得る。内側支持部材３９は、厚紙、熱可塑性物質、又は、任意の様々な適切な代替的な材料から形成される、剛性の管状部材を含み得る。内側支持部材３９は、八角形であるように示されているが、内側支持部材は、例えば、長方形又は円形のような、任意の様々な適切な代替的な形状を含み得る。
【００１４】
図１に例示するように、容器１４の側壁２６は、複数の壁窓５０を定め、バッグ１２は、複数のバッグ窓５２を定め、内側支持部材３９は、複数の支持窓５４を定め得る。バッグ１２及び内側支持部材３９が容器１４内に配置されるとき、各々の壁窓５０は、それぞれ１つのバッグ窓５２及び支持窓５４と実質的に整列させられ、ワイヤ閉込め構造１０を通じる複数の目視窓５６を形成するよう協働し得る。従って、目視窓５６を通じてワイヤ積重ね３６を見ることができる。１つの実施態様において、壁窓５０及び支持窓５４は、孔を含み得る。バッグ窓５２によってバッグ１２の完全性が実質的に影響されないよう、バッグ１２の本体１８の残部と一体に形成し得る実質的に透明な層状構造によってバッグ窓５２を定め得る。容器１４の内側を見るために蓋を取り外すことを必要とせずにワイヤ積重ね３６の高さを決定し得るよう、目視窓５６を異なる高さに配置し得ることが理解されよう。４つの目視窓５６が図１及び２に示されているが、任意の様々な適切な代替的な場所でワイヤ積重ね３６のための任意の数の目視窓を形成するよう、バッグ、内側支持部材、容器が協働し得ることも理解されよう。
【００１５】
容器１４の側壁２６は、第１のハンドル孔４０と、第２のハンドル孔４２とを定め得る。図２に例示するように、ワイヤ閉込め構造１０の頂部持上げを容易化するために、それぞれの第１及び第２のハンドル孔４０，４２を通じて、バッグ１２の第１及び第２のハンドル２０，２２を経路指定し得る。１つの実施態様において、バッグ１２の第１及び第２のハンドル２０，２２は、それぞれの第１及び第２のループ付き端部４４，４６を含み、これらのループ付き端部４４，４６は、フォークリフト（図示せず）、クレーン（図示せず）、又は他の適切な代替的な持上げ装置によるワイヤ閉込め構造１０の持上げ及び輸送を容易化し得る。例えば、フォークリフトのフォークを第１及び第２のループ付き端部４４，４６内に設け、フォークを持ち上げることによって、ワイヤ閉込め構造１０を持ち上げ得る。ループ付き端部４４，４６がフォークリフトのフォークを受け入れる準備ができるよう、ワイヤ閉込め構造１０の持上げ前に、第１及び第２のループ付き端部４４，４６を容器１４の外側に沿って設け得る。多数のワイヤ閉込め構造１０が（例えば格納施設に）設けられるときには、第１及び第２のループ付き端部４４，４６の場所と一致するよう、フォークの幅を設定し得る。操作者は、フォークを再調節するためにフォークリフトから降ろさずに、各々のワイヤ閉込め構造（例えば、１０）を持ち上げ且つ移動させることができ、それによって、時間を節約し且つ操作者への危険を低減させる。第１及び第２のハンドル２０，２２は、それぞれの第１及び第２のハンドル孔内に少なくとも部分的に延び得る任意の多様な適切な代替的な構成を含み得る。
【００１６】
第１及び第２のハンドル２０，２２を用いたワイヤ閉込め構造１０の持上げは、ワイヤ積重ね３６の重量が少なくとも部分的にバッグ１２によって支えられることを可能にする。例えば、ワイヤ閉込め構造１０が第１及び第２のハンドル２０，２２で持ち上げられるとき、バッグ１２がワイヤ積重ね３６の実質的な下に横たわる支持をもたらすよう、第１及び第２のハンドル２０，２２は、バッグ１２の本体１８をワイヤ積重ね３６に対して上向きに引っ張る。従って、第１及び第２のハンドル２０，２２を用いたワイヤ積重ね３６の持上げ中、（例えば、引き裂かずに、引き割らずに、破壊せずに）ワイヤ積重ね３６を支持するよう、バッグ１２を構成し得る。１つの実施態様では、例えば、荷重のために必要な許容し得る工業規格に準拠する厚みを有する織物ポリプロピレンシートのような、ワイヤ積重ね３６の全重量を支持し得る材料で、バッグ１２を形成し得る。１つの実施態様において、厚みは、約０．０１インチ〜約０．０３インチに及び、より具体的には、約０．０１５インチ〜約０．０２０インチに及び得る。
【００１７】
１つの実施態様では、本体１８、第１のハンドル２０、及び第２のハンドル２２を一体形の構造において提供し得る。例えば、対向する縁部を有するパターンに切断され或いは他の方法で形成される連続的なシートの材料からバッグ１２を形成し得る。連続的なシートの材料の縁部を縫い付け、熱溶接し、或いは他の方法で一体に取り付けて、バッグ１２の本体１８を形成し得る。切断、加熱等を通じるのでなければ、第１及び第２のハンドル２０，２２が本体１８から離れないよう、第１のハンドル２０及び第２のハンドル２２をバッグ１２の本体１８と結合させ得る。１つの実施態様では、縫付け又は熱溶接を通じて第１及び第２のハンドル２０，２２を本体１８に取り付け得る。他の実施態様では、例えば、製造中に、例えば、第１及び第２のハンドル２０，２２をバッグ１２の本体１８と織り合わせることによって、第１及び第２のハンドル２０，２２を、バッグ１２の本体１８を形成する材料と一体的に織り得る。しかしながら、本体、第１のハンドル、及び第２のハンドルが共に結合され或いは一体形の構造として提供されるのを容易化する任意の様々な適切な代替的な材料を使用し且つ任意の様々な他の適切な構成を有するバッグ１２を形成し得ることが理解されよう。
【００１８】
図４に例示するような代替的な実施態様において、バッグ１１２は、強化ストラップ１４１も含み得る。バッグ１１２は、多くの点において、図１乃至３に例示するバッグ１２と類似し得る。例えば、バッグ１１２は、本体１１８と、第１のハンドル１２０と、第２のハンドル１２２とを含み得る。強化ストラップ１４１は、バッグ１１２のための追加的な持上げ支持をもたらすよう、バッグ１１２の本体１１８の下に延び得る。本体１１８、第１のハンドル１２０、第２のハンドル１２２、及び強化ストラップ１４１を、一体形の構造として共に一体的に形成し得る。例えば、バッグ１２に関して上述したような単一シートの材料でバッグ１１２を形成し得る。しかしながら、強化ストラップ１４１を、バッグ１１２の本体１１８と一体的なより厚い材料として形成し、バッグ１１２の本体１１８に沿って第１のハンドル１２０と第２のハンドル１２２との間に経路指定し得る。１つの実施態様において、強化ストラップ１４１をバッグ１１２の本体１１８と共に一体的に織り得る。ワイヤ積重ね（例えば、３６）がバッグ１１２内に設けられるとき、強化ストラップ１４１は、ワイヤ積重ねの下に位置する。バッグ１１２が第１及び第２のハンドル１２０，１２２で持ち上げられるとき、強化ストラップ１４１によってワイヤ積重ねの重量を実質的に支え得る。バッグ１１２の本体１１８は、図１及び２に示す本体１８と同じ程度の支持をもたらす必要はなく、従って、バッグ１１２の本体１１８をより薄い材料で形成することができ、それによって、バッグ１１２の費用及び製造時間を改良し得る。図４のバッグ１１２は八角形であるように示されているが、強化ストラップ１４１を有するバッグを、（例えば、バッグ１２に類似する）長方形のような任意の様々な構造に成形し得る。
【００１９】
ワイヤ閉込め構造は一部の従来的なフレキシブルコンテナ（ＦＩＢＣ）構成よりも効果的なワイヤ積重ねの輸送を促進し得ることが理解されよう。例えば、従来的なＦＩＢＣは、可撓な本体の上方開口の周りに均等に離間させられる４つのループ式ハンドルを有する可撓な本体を含み得る。典型的には、従来的なＦＩＢＣを、例えば、砂、肥料、又はペレット化プラスチックのような粒状化材料で充填し、次に、（例えば、フォークリフトによって）ループ式ハンドルで持ち上げ得る。しかしながら、従来的なＦＩＢＣは、ワイヤ積重ねの輸送には非効果的である。何故ならば、可撓な本体は、ワイヤ積重ねのための十分な保護をもたらさないからである。ワイヤ積重ねを保護するために剛性の容器で従来的なＦＩＢＣを強化することは困難であり、従来的なＦＩＢＣの完全性を危険に晒しさえし得る。例えば、剛性の容器内に緩く設けられる従来的なＦＩＢＣは、剛性の容器内に落ち込みがちであり、それによって、従来的なＦＩＢＣの持上げ前に、従来的なＦＩＢＣを剛性の容器から取り出すことが必要である。加えて、従来的なＦＩＢＣ内へのワイヤ積重ねの装填前に、従来的なＦＩＢＣが剛性の容器内で適切に整列されないならば、ループ形状ハンドルを剛性の構造に対して適切に整列させ得ず、ループ形状ハンドルは剛性の構造内に落ち込みさえし得る。接近するフォークリフトは、ハンドルを先ず取り出すことを必要とせずに、剛性の構造との有害な接触を伴わずに、ループ形状ハンドルを通じてフォークを滑動させるのに困難を有し得る。従って、従来的なＦＩＢＣが剛性の構造から離れるようになるのを防止するために、例えば、解放可能な締結具又は接着剤を用いて、剛性の容器を従来的なＦＩＢＣと結合させ得る。しかしながら、このように従来的なＦＩＢＣを剛性の構造に取り付けることは、高価であり且つ時間がかかり得る。加えて、従来的なＦＩＢＣがループ形状ハンドルで持ち上げられるとき、剛性の容器はＦＩＢＣを引っ張り且つ／或いは圧迫し得るが、それは従来的なＦＩＢＣの完全性に影響を及ぼし得る。
【００２０】
従って、ワイヤ閉込め構造１０は、従来的なＦＩＢＣを剛性の容器と単に組み合わせるよりも効果的なワイヤ積重ねの持上げ及び／又は格納を促進し得る。例えば、第１及び第２のハンドル孔４０，４２を通じて第１及び第２のハンドル２０，２２を経路指定することで、容器１４は、バッグ１２の完全性に影響を及ぼすことなく、バッグ１２を容器１４に固定し得る。ワイヤ閉込め構造１０が第１及び第２のハンドル２０，２２で持ち上げられるとき、第１及び第２のハンドル２０，２２は、バッグ１２に対して容器１４を保持し、容器１４がバッグ１２から偶発的に離されることを防止し得る。ワイヤ積重ね３６の重量を完全に支持するようバッグ１２を構成し得る。何故ならば、容器１４は、ワイヤ閉込め構造１０の持上げ中、ワイヤ積重ね３６に対する如何なる下に横たわる支持をももたらし得ないからである。加えて、第１及び第２のハンドル孔４０，４２を通じて第１及び第２のハンドル２０，２２を経路指定することは、バッグ１２が容器１４内に適切に位置付けられることを保証し得る。更に、上述のように、ハンドル２０，２２がフォークリフトのフォークを受け入れる準備が出来るよう、容器１４の外側に沿う一貫した場所にハンドル２０，２２を設け得る。
【００２１】
一部の従来的なワイヤ閉込め構成では、ワイヤ積重ねを持ち上げるためにバッグは使用されず、むしろ湿分障壁として働くに過ぎない。上述のように、そのような構成では、持上げストラップがバッグの下に経路指定されて、ワイヤ積重ねの持上げを容易化する。持上げストラップをバッグ１２と容器１４との間に経路指定する代わりに、ワイヤ積重ね３６を持上げ且つ支持するためにバッグ１２を使用することができ、それはワイヤ閉込め構造の総費用を削減し得ることが理解されよう。加えて、バッグ１２は、さもなければ持上げストラップでワイヤ積重ねを持ち上げることから起こり得る擦過の影響をより少なく受け得る。更に、バッグ１２が容器１４内に提供され、第１及び第２のハンドル２０，２２が第１及び第２のハンドル孔４０，４２を通じて経路指定されるや否や、バッグ１２を適切に向けるために、第１及び第２のハンドル２０，２２を引っ張り得る。
【００２２】
典型的には、ワイヤ積重ねの重量が持上げストラップに亘って適切に分配されるのを保証するために、ワイヤ積重ねが従来的なワイヤ閉込め構造内に設けられる前に、持上げストラップはバッグの下で整列されなければならない。ワイヤ積重ねが持上げストラップで持ち上げられるや否や、持上げストラップは、依然としてワイヤ積重ねの下の位置から外れるよう移動しがちであり、それによって、輸送中にワイヤ積重ねがひっくり返り得る危険性を増大する。持上げストラップをウェブ状ストラップとして形成し得るが、ウェブ状ストラップは、ワイヤ積重ねの運搬を容易化し得る十分な厚みを有し、よって、嵩張り且つ高価であり得る。
【００２３】
従って、バッグ１２は、より時間効果的で費用効果的な方法において持上げストラップよりも効果的にワイヤ積重ねを支持し得る。ワイヤ積重ね３６がワイヤ閉込め構造１０内に設けられるや否や、バッグ１２の本体１８は、ワイヤ閉込め構造１０の持上げ中、ワイヤ積重ね３６に対するより効果的な支持をもたらすよう、ワイヤ積重ね３６を取り囲み得る。更に、ワイヤ閉込め構造１０の輸送中にワイヤ積重ね３６が移動するとしても、バッグ１２の本体１８はワイヤ積重ね３６の下に留まり、ワイヤ積重ね３６が容器１４内で不均衡になってひっくり返るのを防止する。従来的な持上げストラップの使用を排除することによって、ワイヤ閉込め構造１０が実施に時間がかかり且つ費用が嵩み得る特定の安全及び／又は輸送規格に準拠することは最早必要とされ得ない。むしろ、ワイヤ閉込め構造は、波形オーバーパック(overpack)を備えるＦＩＢＣと考えられ得る。よって、持上げストラップを備える容器のために確保される安全及び輸送規格に準拠することは必要とされ得ない。
【００２４】
バッグ１２は、２つのハンドルのみを含むように示されているが、バッグ１２は、容器の対応するハンドル孔を通じて経路指定し得る２つ又はそれよりも多くのハンドルを含み得ることが理解されよう。２つのハンドルで物体を持ち上げることによって時折起こる転倒の危険性を低減させるために、ハンドルをバッグ１２の上に設け得ることも理解されよう。例えば、図１に例示するように、第１及び第２のハンドル２０，２２を互いに正反対にバッグ１２の上方部分３２と結合し得る。ワイヤ積重ね３６がバッグ１２のワイヤ受口２４内に設けられるときには、「頂部持上げ」(“top  lifting”)を促進するよう、第１及び第２のハンドル２０，２２をワイヤ積重ね３６の上でワイヤ積重ね３６の各側に配置し得る。ワイヤ積重ね３６の重心は、第１及び第２のハンドル２０，２２の垂直に下にあり得る。よって、第１及び第２のハンドル２０，２２を用いたワイヤ閉込め構造１０の頂部持上げの転倒は、一部の従来的な構成よりも少ない。
【００２５】
ワイヤ閉込め構造の様々な実施態様を前述の記載によって例示し、図１乃至４に関して詳細に記載したが、それらが網羅的であることは意図されておらず、本発明の範囲をそのような詳細に限定することは意図されていない。上記教示の観点から数多くの変形が可能である。それらの変形の一部は議論されており、当業者によって理解されるであろう。
【符号の説明】
【００２６】
１０    ワイヤ閉込め構造  (wire  containment  structure)
１２    バッグ  (bag)
１４    容器  (container)
１８    本体  (body)
２０    ハンドル  (handle)
２２    ハンドル  (handle)
２４    ワイヤ受口  (wire  receptacle)
２６    側壁  (side  wall)
２８    床部分  (floor  portion)
３０    容器受口  (container  receptacle)
３２    上方部分  (upper  portion)
３４    下方部分  (lower  portion)
３６    ワイヤ積重ね  (wire  stack)
３７    蓋  (lid)
３９    内側支持部材  (inner  support  member)
４０    ハンドル孔  (handle  aperture)
４２    ハンドル孔  (handle  aperture)
４４    ループ付き端部  (looped  end)
４６    ループ付き端部  (looped  end)
５０    壁窓  (wall  window)
５２    バッグ窓  (bag  window)
５４    支持窓  (support  window)
５６    目視窓  (viewing  window)
１１２  バッグ  (bag)
１１８  本体  (body)
１２０  ハンドル  (handle)
１２２  ハンドル  (handle)
１４１  強化ストラップ  (reinforcement  strap)
【手続補正２】
【補正対象書類名】特許請求の範囲
【補正対象項目名】全文
【補正方法】変更
【補正の内容】
【特許請求の範囲】
【請求項１】
容器受口を少なくとも部分的に定める側壁を含む容器と、
前記容器受口内に少なくとも部分的に配置されるバッグとを含み、該バッグは、ワイヤ受口を定める本体を備え、
前記側壁は、第１のハンドル孔と、第２のハンドル孔とを定め、
前記バッグは、ワイヤ積重ねを完全に支持するよう構成され、前記バッグは、
前記本体と結合され且つ前記第１のハンドル孔を通じて経路指定される第１のハンドルと、
前記本体と結合され且つ前記第２のハンドル孔を通じて経路指定される第２のハンドルとを含むことを特徴とする、
ワイヤ閉込め構造。
【請求項２】
前記ワイヤ受口内に少なくとも部分的に配置される内側支持部材を更に含む、請求項１に記載のワイヤ閉込め構造。
【請求項３】
前記容器の前記側壁は、複数の壁窓を定め、前記バッグは、複数のバッグ窓を定め、前記壁窓の各々は、前記バッグ窓のそれぞれの１つと実質的に整列される、請求項１又は２に記載のワイヤ閉込め構造。
【請求項４】
前記壁窓は、孔を含み、前記バッグ窓は、実質的に透明である、請求項１乃至３のうちのいずれか１項に記載のワイヤ閉込め構造。
【請求項５】
前記バッグは、前記本体の下に延びる強化ストラップを更に含み、該強化ストラップ、前記第１のハンドル、前記第２のハンドル、及び前記本体は、一体形の構造として設けられる、請求項１乃至４のうちのいずれか１項に記載のワイヤ閉込め構造。
【請求項６】
前記バッグは、織物ポリプロピレンを含む、請求項１乃至５のうちのいずれか１項に記載のワイヤ閉込め構造。
【請求項７】
前記バッグは、約０．０１インチ〜０．０３インチ、好ましくは、約０．０１５インチ〜約０．０２０インチの範囲の厚みを有する、請求項１乃至６のうちのいずれか１項に記載の、好ましくは、請求項６に記載のワイヤ閉込め構造。
【請求項８】
容器受口を定める側壁を含む容器と、
前記容器受口内に少なくとも部分的に配置されるバッグとを含み、
前記側壁は、第１のハンドル孔と、第２のハンドル孔とを定め、
前記バッグは、
ワイヤ受口を定める本体と、
前記バッグの前記ワイヤ受口内に配置されるワイヤ積重ねとを含み、
第１のハンドルが前記本体と結合され、且つ、前記第１のハンドル孔を通じて経路指定され、
第２のハンドルが前記本体と結合され、且つ、前記第２のハンドル孔を通じて経路指定され、
強化ストラップが前記本体と結合され、且つ、前記本体の下に経路指定され、
前記本体、前記第１のハンドル、前記第２のハンドル、及び前記強化ストラップは、織物材料を含み、
前記強化ストラップは、前記本体と一体に織られ、前記バッグは、前記ワイヤ積重ねを完全に支持するよう構成されることを特徴とする、
装置。
【請求項９】
前記ワイヤ受口内に配置され且つ前記ワイヤ積重ねと前記バッグとの間に介装される内側支持部材を更に含む、請求項８に記載の装置。
【請求項１０】
前記容器の前記側壁は、複数の壁窓を定め、前記バッグは、複数のバッグ窓を定め、前記壁窓の各々は、前記バッグ窓のそれぞれ１つと実質的に整列させられ、前記バッグ窓は及び前記壁窓は、好ましくは、透明である、請求項８又は９に記載の装置。
【請求項１１】
前記バッグは、織物ポリプロピレンバッグを含み、前記容器は、厚紙容器を含む、請求項８乃至１０のうちのいずれか１項に記載の装置。
【請求項１２】
前記バッグの前記本体は、下方部分と、上方部分とを含み、該上方部分は、前記容器を越えて延びる、請求項８乃至１１のうちのいずれか１項に記載の装置。
【請求項１３】
前記本体、前記第１のハンドル、前記第２のハンドル、及び前記強化ストラップは、一体形の構造において提供される、請求項１乃至１２のうちのいずれか１項に記載の、好ましくは、請求項１２に記載の装置。
【請求項１４】
容器受口を少なくとも部分的に定める側壁を含む容器と、
ワイヤ積重ねを完全に支持するよう構成されるバッグとを含み、
前記側壁は、第１のハンドル孔と、第２のハンドル孔とを定め、
前記バッグは、
本体と、
前記第１のハンドル孔を通じて延びる第１のハンドルと、
前記第２のハンドル孔を通じて延びる第２のハンドルとを含み、
前記バッグは、前記容器受口内に少なくとも部分的に配置され、
本体を強化するための手段が、前記本体に結合され、前記本体を強化するための手段は、前記本体及び前記本体を強化するための手段が一体形の構造において提供されるよう、前記本体に結合されることを特徴とする、
ワイヤ閉込め構造。
【請求項１５】
前記第１のハンドルは、第１のループ付き端部を含み、前記第２のハンドルは、第２のループ付き端部を含み、前記第１のループ付き端部及び前記第２のループ付き端部は、前記容器受口の外側に配置される、請求項１乃至１４のうちのいずれかに記載の、好ましくは、請求項８又は１４に記載のワイヤ閉込め構造。
【国際調査報告】
2013544715.tif 000007
2013544715.tif 000008
2013544715.tif 000009